(57)【要約】【課題】利用する者にとって天板面積を拡大したり縮小したりする際に生ずる不便を解決できる炬燵を提供する。【解決手段】この炬燵は、櫓構造体11と、この櫓構造体11に対して分離可能な天板構造体12とを備えている。櫓構造体11は、ヒータを着脱可能な中央枠体13の一側部に、２本の一側脚部14を有する一側枠体15を伸縮方向摺動自在に嵌合し、中央枠体13の他側部に、２本の他側脚部16を有する他側枠体17を伸縮方向摺動自在に嵌合する。天板構造体12は、中央枠体13、一側枠体15および他側枠体17の上側に取り付けた一側天板27、他側天板28および中央天板29により構成し、一側枠体15および他側枠体17の上側に設けた一側天板27および他側天板28は、角枠状に形成した案内枠体31の平行に設けた２辺部で摺動自在に案内する。【選択図】図１
0003162461.tif 000002
【実用新案登録請求の範囲】
【請求項１】
ヒータ取付用の中央枠体と、
上記中央枠体の一側部に位置する２本の一側脚部を有するとともに上記中央枠体に対し伸縮方向摺動自在に嵌合された一側枠体と、
上記中央枠体の他側部に位置する２本の他側脚部を有するとともに上記中央枠体に対し伸縮方向摺動自在に嵌合された他側枠体と、
上記中央枠体、上記一側枠体および上記他側枠体の上側に取り付けられた複数の天板とを具備し、
これらの複数の天板は、
上記一側枠体および上記他側枠体の上側に設けられた一側天板および他側天板と、
上記一側枠体および上記他側枠体を最も縮小した状態で上記一側枠体と上記他側枠体との間で上記中央枠体内に収納されるとともに上記一側枠体および上記他側枠体を最も伸長した状態で上記一側天板と上記他側天板との間に固定される中央天板とを備えた
ことを特徴とする炬燵。
【請求項２】
角枠状に形成され上記一側天板および上記他側天板を平行に設けられた２辺部で摺動自在に案内するとともに上記最も伸長した状態で上記一側天板と上記他側天板との間に嵌合された上記中央天板を上記２辺部で位置決めする案内枠体
を具備したことを特徴とする請求項１記載の炬燵。
【請求項３】
上記最も伸長した状態で上記一側天板と上記中央天板との間および上記中央天板と上記他側天板との間を２組の金具により固定するとともに上記最も縮小した状態で上記一側天板と上記他側天板との間を上記２組の金具のうちの１組の金具により固定するロック機構
を具備したことを特徴とする請求項１または２記載の炬燵。
【考案の詳細な説明】
【技術分野】
【０００１】
本考案は、両側脚部間の長さを伸縮可能な炬燵に関する。
【背景技術】
【０００２】
４本の主脚を有する親テーブルの中に、補助脚およびヒータを有する小テーブルを摺動自在に収納し、親テーブルに対して小テーブルを引き出したり収めたりすることにより、幅を伸縮させる炬燵がある（例えば、特許文献１参照）。
【先行技術文献】
【特許文献】
【０００３】
【特許文献１】特開２００２−２３３４２２号公報（第２頁、図１）
【考案の概要】
【考案が解決しようとする課題】
【０００４】
上記の従来の炬燵は、親テーブルに対して小テーブルを引き出すことで天板面積を拡大するが、その際に、天板に段差が生まれるために、そのままでは天板を使えない問題があるとともに、小テーブルに取り付けられているヒータが中央位置からずれる問題が生じている。さらに、２本の主脚と補助脚との間に位置する他の２本の主脚が、炬燵を利用する者にとって障害物となるとともに、天板面積の拡大に応じて複数の天板を用いる場合は、本体内に伸び板を収めて天板面積を縮小したときに、使用しない天板の取扱いが炬燵を利用する者にとって面倒になるなどの問題がある。
【０００５】
本考案は、このような点に鑑みなされたもので、利用する者にとって天板面積を拡大したり縮小したりする際に生ずる不便を解決できる炬燵を提供することを目的とする。
【課題を解決するための手段】
【０００６】
請求項１に記載された考案は、ヒータ取付用の中央枠体と、上記中央枠体の一側部に位置する２本の一側脚部を有するとともに上記中央枠体に対し伸縮方向摺動自在に嵌合された一側枠体と、上記中央枠体の他側部に位置する２本の他側脚部を有するとともに上記中央枠体に対し伸縮方向摺動自在に嵌合された他側枠体と、上記中央枠体、上記一側枠体および上記他側枠体の上側に取り付けられた複数の天板とを具備し、これらの複数の天板は、上記一側枠体および上記他側枠体の上側に設けられた一側天板および他側天板と、上記一側枠体および上記他側枠体を最も縮小した状態で上記一側枠体と上記他側枠体との間で上記中央枠体内に収納されるとともに上記一側枠体および上記他側枠体を最も伸長した状態で上記一側天板と上記他側天板との間に固定される中央天板とを備えた炬燵である。
【０００７】
請求項２に記載された考案は、請求項１記載の炬燵において、角枠状に形成され上記一側天板および上記他側天板を平行に設けられた２辺部で摺動自在に案内するとともに上記最も伸長した状態で上記一側天板と上記他側天板との間に嵌合された上記中央天板を上記２辺部で位置決めする案内枠体を具備したものである。
【０００８】
請求項３に記載された考案は、請求項１または２記載の炬燵において、上記最も伸長した状態で上記一側天板と上記中央天板との間および上記中央天板と上記他側天板との間を２組の金具により固定するとともに上記最も縮小した状態で上記一側天板と上記他側天板との間を上記２組の金具のうちの１組の金具により固定するロック機構を具備したものである。
【考案の効果】
【０００９】
請求項１記載の考案によれば、ヒータ取付用の中央枠体の一側部に位置する２本の一側脚部を有する一側枠体を、中央枠体に対し伸縮方向摺動自在に嵌合し、中央枠体の他側部に位置する２本の他側脚部を有する他側枠体を、中央枠体に対し伸縮方向摺動自在に嵌合したので、中央枠体に対し一側枠体および他側枠体を引き出して天板面積を拡大した際に、ヒータ取付位置が中央位置に保たれるとともに、２本の一側脚部と２本の他側脚部との間に充分なスペースを確保でき、その間に炬燵を利用する者にとっての障害物がなく、利用する者にとって天板面積を拡大した際に生ずる不便を解決できる。また、中央天板は、一側枠体および他側枠体を最も縮小した状態では、これらの間で中央枠体内に収納するとともに、一側枠体および他側枠体を最も伸長した状態では、一側天板と他側天板との間に固定させるので、天板面積を拡大したときは、中央天板、一側天板および他側天板により段差の生じにくい大きな１枚の天板を容易に準備できるとともに、天板面積を縮小したときは、使用しない中央天板を一側枠体と他側枠体との間で中央枠体内に収納できるので、中央天板の紛失を防止できるとともに、この中央天板の取扱いが炬燵を利用する者にとって容易であり、天板面積を拡大したり縮小したりする際に生ずる不便を解決できる。
【００１０】
請求項２記載の考案によれば、共通の案内枠体上に複数の天板を載せる構造により、各天板間の段差の発生を防止できるとともに、角枠状に形成された案内枠体の平行に設けられた２辺部により、複数の天板のスライド操作をスムーズにでき、また、角枠状の案内枠体により強度アップも図れる。
【００１１】
請求項３記載の考案によれば、上記最も伸長した状態で上記一側天板と上記中央天板との間および上記中央天板と上記他側天板との間をロック機構の２組の金具により固定するとともに、上記最も縮小した状態で上記一側天板と上記他側天板との間を上記２組の金具のうちの１組の金具により固定するので、これらのロック機構を効率よく用いて各天板間の開きを確実に防止できる。
【図面の簡単な説明】
【００１２】
【図１】本考案に係る炬燵の一実施の形態を示すもので、天板面積拡大時の天板装着状態を示す裏面側の斜視図である。
【図２】同上炬燵の天板面積縮小時の天板装着かつ脚折れ状態を示す斜視図である。
【図３】同上炬燵の天板面積縮小時の天板取外状態を示す斜視図である。
【図４】同上炬燵の天板面積拡大状態を示す櫓構造体の斜視図である。
【図５】同上炬燵の天板面積縮小状態を示す天板構造体の裏面図である。
【図６】同上炬燵の天板面積拡大操作の途中状態を示す天板構造体の裏面図である。
【図７】同上炬燵の天板面積拡大状態を示す天板構造体の裏面図である。
【図８】同上炬燵の天板面積拡大時の天板装着状態を示す斜視図である。
【図９】同上炬燵の中央枠体と一側枠体および他側枠体との嵌合状態を示す斜視図である。
【図１０】同上炬燵の天板構造体に用いられているロック機構の斜視図である。
【図１１】本考案に係る炬燵の他の実施の形態を示すもので、天板面積縮小時の中央天板取外途中状態を示す斜視図である。
【図１２】同上炬燵の天板面積拡大時の天板構造体の裏面側を示す斜視図である。
【考案を実施するための形態】
【００１３】
以下、本考案を、図１乃至図１０に示された一実施の形態、図１１および図１２に示された他の実施の形態に基いて詳細に説明する。
【００１４】
図１乃至図８に示されるように、この炬燵は、櫓構造体11と、この櫓構造体11に対して分離可能な天板構造体12とを備えている。
【００１５】
櫓構造体11は、熱量調節可能な電気ヒータを着脱可能なヒータ取付用の中央枠体13の一側部に、２本の一側脚部14を有する一側枠体15が中央枠体13に対し伸縮方向摺動自在に嵌合され、同様に、中央枠体13の他側部に、２本の他側脚部16を有する他側枠体17が中央枠体13に対し伸縮方向摺動自在に嵌合されている。
【００１６】
図９は、中央枠体13に対する一側枠体15および他側枠体17の嵌合構造を示し、一側枠体15および他側枠体17の伸縮方向と平行に位置する中央枠体13の２側面に蟻溝18がそれぞれ設けられ、一方、一側枠体15および他側枠体17の各対向面にも蟻溝19がそれぞれ設けられ、これらの蟻溝19にそれぞれ一体的に嵌着された臼形断面のスライダ20が、中央枠体13の２側面の蟻溝18にそれぞれ摺動自在に嵌合されている。
【００１７】
図１、図３および図４に示されるように、中央枠体13は、一側枠体15および他側枠体17の伸縮方向に平行に設けられた２本の主枠材13aと、これらの主枠材13aの一側部間および他側部間に掛け渡して設けられた複数の梁材13bと、２本の主枠材13aの中央部間に掛け渡して設けられた複数のヒータ取付枠13cと、これらのヒータ取付枠13c内に設けられたヒータ取付板13dとで構成され、ヒータ取付板13dの下側にヒータ（図示せず）が取り付けられるとともに、図４に示されるようにヒータ取付板13dの上側には、ヒータ取付枠13cを凹状に切り欠いて形成された中央天板収納凹部13eが設けられている。
【００１８】
一側枠体15および他側枠体17は、それぞれの上板材15a，17aの下面に端板材15b，17bがそれぞれ固定され、これらの上板材15a，17aおよび端板材15b，17bから、中央枠体13の２本の主枠材13aの外側面に沿って２本の腕板材15c，17cがそれぞれ突出されている。
【００１９】
上記一側脚部14および上記他側脚部16は、それぞれの上板材15a，17aの下面に折れ脚金具21，22により取り付けられ、それぞれ腕板材15c，17cの側面位置まで折畳可能に設けられている。一側枠体15および他側枠体17の各上板材15a，17aには、図３に示されるようにネジ挿入孔23，24が穿設され、これらのネジ挿入孔23，24には、図１に示されるように櫓構造体11に天板構造体12を固定するための天板固定ネジ25，26が挿入されている。図１には、そのネジ回転つまみを示す。
【００２０】
天板構造体12は、図１に示されるように、中央枠体13、一側枠体15および他側枠体17の上側に取り付けられている複数の天板としての一側天板27、他側天板28および中央天板29により構成されている。一側枠体15および他側枠体17の上側に設けられた一側天板27および他側天板28は、図５および図６に示されるように角枠状に形成された案内枠体31の平行に設けられた２辺部31a，31bで摺動自在に案内され、上記最も伸長した状態で上記一側天板27と上記他側天板28との間に嵌合された上記中央天板29は、上記案内枠体31の２辺部31a，31bで位置決めされる。
【００２１】
一側天板27および他側天板28は、図５および図６に示されるように案内枠体31の平行に設けられた２辺部31a，31bそれぞれを囲むように、天板本体部27a，28aに外枠部27b，28bが一体成形されているとともに、この外枠部27b，28bの内側に案内枠体31の挿入間隔を介して案内板部27c，28cがネジにより平行に取り付けられ、これらの外枠部27b，28bと案内板部27c，28cとに跨るように保持板部27d，28dが掛け渡してネジにより取り付けられている。そして、一側天板27および他側天板28が伸縮移動するときは、案内枠体31の２辺部31a，31bに対して、一側天板27および他側天板28の天板本体部27a，28a、外枠部27b，28b、案内板部27c，28cおよび保持板部27d，28dがそれぞれ一体的に摺動する。
【００２２】
図５および図７に示されるように、一側天板27および他側天板28の外枠部27b，28bの裏面には、一側枠体15および他側枠体17のネジ挿入孔23，24と対応する位置に、これらのネジ挿入孔23，24に挿入された天板固定ネジ25，26と螺合するネジ穴部材27e，28eが埋め込まれている。
【００２３】
中央天板29は、図３に示されるように一側枠体15および他側枠体17を最も縮小した状態で一側枠体15と他側枠体17との間で中央枠体13の中央天板収納凹部13e内に収納されている。この中央天板29の一端部および他端部には、その天板本体部29aからそれぞれ裏面側に突出された凸部29bが設けられている。
【００２４】
この中央天板29は、図１、図７および図８に示されるように一側枠体15および他側枠体17を最も伸長した状態で、収納状態から９０°方向転換して上記一側天板27と上記他側天板28との間に固定されるものであり、この中央天板29の両端部にそれぞれ設けられた凸部29bは、図７に示されるように案内枠体31の平行に設けられた２辺部31a，31bの外側に嵌合される。
【００２５】
一側天板27、他側天板28および中央天板29には、図５に示されるように最も縮小した状態で一側天板27と他側天板28との間を相互に固定するとともに、図７に示されるように最も伸長した状態で一側天板27と中央天板29との間および中央天板29と他側天板28との間をそれぞれ相互に固定するロック機構32が設けられている。
【００２６】
このロック機構32は、２組の金具の一部が１組の金具を兼ねており、図５に示されるように最も縮小した状態では、一側天板27と他側天板28との間が１組の金具により固定され、図７に示されるように最も伸長した状態では、一側天板27と中央天板29との間、および中央天板29と他側天板28との間が、２組の金具によりそれぞれ固定されて一体化される。
【００２７】
図１０は、そのロック機構32を拡大したもので、一方の天板28または29に、取付座板33を介して操作レバー34により回動可能の金具としての掛け金35が取り付けられ、この掛け金35の先端部には凹状の係合部36が一体形成されている。また、他方の天板27または29に、取付座板37を介して、掛け金35の先端凹状の係合部36と係合する凸状の金具としての受け金38が設置されている。この受け金38は、掛け金設置側とは逆方向へ反り返るように突出されている。そして、操作レバー34により掛け金35を回動すると、この掛け金35の先端凹状の係合部36が受け金38の横からスライドしながら係合し、複数の天板27，28間または天板27，29，28間を固く固定する。
【００２８】
次に、この図１乃至図１０に示された一実施の形態の作業手順を説明する。
【００２９】
図２に示された天板面積が最小の状態から、一側脚部14および他側脚部16を引き出して立て、図３に示されるように、一側枠体15および他側枠体17の各上板材15a，17aのネジ挿入孔23，24から天板固定ネジ25，26（図１参照）を外して、一側天板27および他側天板28を取り外すと、これらの下側で中央枠体13の中央天板収納凹部13e内に収納されている中央天板29が現われるので、この中央天板29を櫓構造体11から取り外す。櫓構造体11は、図４に示されるように、中央枠体13に対し一側枠体15および他側枠体17を引き出して伸長させる。
【００３０】
一方、図５に示されるように、櫓構造体11から取り外した一側天板27および他側天板28を裏返すと、一側天板27と他側天板28は、密着した状態でロック機構32により固定されているので、このロック機構32の操作レバー34を回して、その掛け金35の係合部36を受け金38から外し、図６に示されるように、案内枠体31の２辺部31a，31bに沿って一側天板27および他側天板28を相互に離間する方向にスライドさせる。
【００３１】
このようにして形成された一側天板27と他側天板28との間の空間に、櫓構造体11から取り外した中央天板29を図７に示されるように嵌め込み、ロック機構32の２組の金具により一側天板27と中央天板29とを固定するとともに他側天板28と中央天板29とを固定し、このようにして天板面積が最大の状態に拡大された天板構造体12を、図１および図８に示されるように、天板固定ネジ25，26により櫓構造体11と一体化する。
【００３２】
天板面積が最大の状態から最小の状態に戻すときは、上記操作手順とは逆の操作手順で作業を行なう。
【００３３】
次に、この図１乃至図１０に示された一実施の形態の作用効果を説明する。
【００３４】
上記のように、ヒータ取付用の中央枠体13の一側部に位置する２本の一側脚部14を有する一側枠体15を、中央枠体13に対し伸縮方向摺動自在に嵌合し、中央枠体13の他側部に位置する２本の他側脚部16を有する他側枠体17を、中央枠体13に対し伸縮方向摺動自在に嵌合したので、中央枠体13に対し一側枠体15および他側枠体17を引き出して天板面積を拡大した際に、ヒータ取付位置が中央位置に保たれるとともに、２本の一側脚部14と２本の他側脚部16との間に充分なスペースを確保でき、その間に炬燵を利用する者にとっての障害物がなく、利用する者にとって天板面積を拡大した際に生ずる不便を解決できる。
【００３５】
また、一側天板27および他側天板28は、一側枠体15および他側枠体17を最も縮小した状態でも最も伸長した状態でも、これらの上側に取り付け、中央天板29は、一側枠体15および他側枠体17を最も縮小した状態では、これらの間で中央枠体13内に収納するとともに、一側枠体15および他側枠体17を最も伸長した状態では、収納状態から９０°方向転換して一側天板27と他側天板28との間に固定させるので、天板面積を拡大したときは、中央天板29、一側天板27および他側天板28により段差の生じにくい大きな１枚の天板を容易に準備できるとともに、天板面積を縮小したときは、使用しない中央天板29を一側枠体15と他側枠体17との間で中央枠体13内に収納できるので、中央天板29の紛失を防止できるとともに、この中央天板29の取扱いが炬燵を利用する者にとって容易であり、利用する者にとって天板面積を拡大したり縮小したりする際に生ずる不便を解決できる。
【００３６】
特に、共通の案内枠体31上に複数の天板27，29，28を載せる構造により、各天板27，29，28間の段差の発生を防止できるとともに、角枠状に形成された案内枠体31の平行に設けられた２辺部31a，31bにより、一側天板27および他側天板28のスライド操作をスムーズにでき、また、角枠状の案内枠体31により天板構造体12の強度アップも図れる。
【００３７】
また、最も伸長した状態で上記一側天板27と上記中央天板29との間および上記中央天板29と上記他側天板28との間をロック機構32の２組の金具により固定するとともに、上記最も縮小した状態で上記一側天板27と上記他側天板28との間を、上記ロック機構32の２組の金具のうちの１組の金具により固定するので、これらのロック機構32を効率よく用いて天板27，28間または天板27，29，28間の開きを確実に防止できる。
【００３８】
さらに、角枠状の案内枠体31とロック機構32により、天板の伸縮切換を簡単に行なえ、一側天板27と他側天板28とによる１枚の天板構成と、一側天板27と中央天板29と他側天板28とによる１枚の天板構成とを容易に変更できる。
【００３９】
次に、図１１および図１２に示された他の実施の形態を説明する。なお、図１乃至図１０に示された実施の形態と異なる部分のみを説明し、同様の部分には同一符号を付して、その説明を省略する。
【００４０】
図１１および図１２に示されるように、中央天板29、一側天板27および他側天板28の裏面には、伸縮方向と平行の一方縁および他方縁に沿ってそれぞれ連結ロッド嵌合溝41，42，43が設けられ、これらの連結ロッド嵌合溝41，42，43に嵌合された角棒状の連結ロッド44が、一側天板27の連結ロッド嵌合溝42に沿って固定された一側ガイド45内から、他側天板28の連結ロッド嵌合溝43に沿って固定された他側ガイド46内にわたって摺動自在に嵌合され、天板面積最小状態では、一側ガイド45および他側ガイド46の穴47，48から挿入された一方ネジ49および他方ネジ50によりそれぞれ固定されている。中央天板29は、中央ネジ51により連結ロッド44に固定されるが、固定を解除して、連結ロッド44から外すこともできる。
【００４１】
そして、図１１に示されるように、中央天板29は、一側枠体15および他側枠体17を最も縮小した状態では、これらの間で中央枠体13内に収納され、また、一側枠体15および他側枠体17を最も伸長した状態では、図１２に示されるように、一側天板27と他側天板28との間に固定される。
【００４２】
その際、一側天板27の一方縁および他方縁に沿った一側ガイド45と、他側天板28の一方縁および他方縁に沿った他側ガイド46の、それぞれの奥深くまで挿入されていた連結ロッド44を引き出すようにしながら、一側天板27と他側天板28との間を離間させて、その間に中央天板29を嵌合し、穴47，48から外しておいた一方ネジ49および他方ネジ50を、図１２に示された他の穴へ付け替えることにより連結ロッド44と一側ガイド45および他側ガイド46とを固定するとともに、中央ネジ51により連結ロッド44と中央天板29とを固定する。
【００４３】
この他の実施の形態においても、ヒータ取付用の中央枠体13の一側部に位置する２本の一側脚部14を有する一側枠体15を、中央枠体13に対し伸縮方向摺動自在に嵌合し、中央枠体13の他側部に位置する２本の他側脚部16を有する他側枠体17を、中央枠体13に対し伸縮方向摺動自在に嵌合したので、中央枠体13に対し一側枠体15および他側枠体17を引き出して天板面積を拡大した際に、ヒータ取付位置が中央位置に保たれるとともに、２本の一側脚部14と２本の他側脚部16との間に充分なスペースを確保でき、その間に炬燵を利用する者にとっての障害物がなく、利用する者にとって天板面積を拡大した際に生ずる不便を解決できる。
【００４４】
また、天板面積を拡大したときは、中央天板29、一側天板27および他側天板28により段差の生じにくい大きな１枚の天板構造体12を容易に構成できるとともに、天板面積を縮小したときは、使用しない中央天板29を一側枠体15と他側枠体17との間で中央枠体13内に収納でき、中央天板29の紛失を防止できるとともに、この中央天板29の取扱いが炬燵を利用する者にとって容易である。
【００４５】
特に、共通の連結ロッド44上に複数の天板27，29，28を載せる構造により、各天板27，29，28間の段差の発生を防止できるとともに、連結ロッド44と一方ネジ49、他方ネジ50および中央ネジ51とにより、一側天板27と他側天板28とによる１枚の天板構成と、一側天板27と中央天板29と他側天板28とによる１枚の天板構成とを容易に変更できる。
【００４６】
なお、図示された一実施の形態および他の実施の形態は座式の炬燵であるが、本考案は、一側脚部14および他側脚部16を長く形成することで、椅子式の炬燵にも適用できる。
【産業上の利用可能性】
【００４７】
本考案は、炬燵の製造、販売に係る産業において利用できる。
【符号の説明】
【００４８】
13    中央枠体
14    一側脚部
15    一側枠体
16    他側脚部
17    他側枠体
27    天板としての一側天板
28    天板としての他側天板
29    天板としての中央天板
31    案内枠体
32    ロック機構
【図１】
0003162461.tif 000003
【図２】
0003162461.tif 000004
【図３】
0003162461.tif 000005
【図４】
0003162461.tif 000006
【図５】
0003162461.tif 000007
【図６】
0003162461.tif 000008
【図７】
0003162461.tif 000009
【図８】
0003162461.tif 000010
【図９】
0003162461.tif 000011
【図１０】
0003162461.tif 000012
【図１１】
0003162461.tif 000013
【図１２】
0003162461.tif 000014